【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】 固定基板に回転可能に設けられ、少なくとも１つの光学素子が配置されたターレットと、
前記ターレットに駆動力を与える駆動手段と、
前記駆動手段が発生する駆動力を前記ターレットに伝達するための伝達手段と、
前記ターレット上の光学素子を、光学系の光路上に位置決め保持する位置決め手段と、
前記ターレット上で前記光学素子を移動可能に保持する案内手段と、
前記固定基板上に設置され、前記光路上に停止した前記光学素子を前記案内手段の移動方向に沿って移動させる光学素子移動手段と、
前記駆動手段及び前記光学素子移動手段のうち少なくとも一方の動作を制御する制御部と、を具備することを特徴とする光学素子切り換え装置。
【請求項２】  複数の対物レンズのうち少なくとも１つを選択的に光路に配置するための第１の切換え手段と、
前記選択された対物レンズを位置決め保持する第１の位置決め手段と、
前記第１の切換え手段を駆動する第１の駆動手段と、
複数の検鏡法に対応する光学素子のうち少なくとも１つを選択的に前記光路に配置するための第２の切換え手段と、
前記選択された光学素子を位置決め保持する第２の位置決め手段と、
前記第２の切換え手段を駆動する第２の駆動手段と、
前記第２の切換え手段に設けられ、前記第２の切換え手段上で前記光学素子のそれぞれを移動可能に保持する案内手段と、
前記光路に配置された前記光学素子を、前記案内手段の移動方向に移動させる前記光学素子移動手段と、
を備えることを特徴とする光学素子切り換え装置。
【請求項３】  前記光学素子切り換え装置は、さらに前記光学素子移動手段による前記光学素子の移動量を設定する入力部を具備し、この入力部への設定レベルに対応して、前記光学素子の移動量が可変することを特徴とする請求項１または２記載の光学素子切り換え装置。
【請求項４】   複数の検鏡法に対応する光学素子を切り換え可能に備える光学素子切り換え装置を搭載し、倍率の異なる複数の対物レンズを切り換え可能な顕微鏡において、
少なくとも１つの前記対物レンズを装着可能な第１のターレットと、
前記第１のターレットを回転させて、観察試料の光像が通過する光路上に前記対物レンズを選択的に配置する第１の駆動手段と、
少なくとも１つの光学素子を装着可能で、前記光路に配置された対物レンズの光軸に直交する面内で回転可能に保持される第２のターレットと、
前記第２のターレット上に設置され、前記光学素子を移動可能に保持する案内手段と、
前記第２のターレットを回転して、前記光学素子または前記第２のターレットに設けられる空穴を前記光路上に選択的に配置する第２の駆動手段と、
前記光路上に選択配置された光学素子を前記案内手段の移動方向に沿って移動させる光学素子移動手段と、
前記光路上に配置される前記対物レンズ及び前記光学素子を選択指示するための操作部と、
前記操作部によって選択指示された前記対物レンズ及び前記光学素子を、それぞれ前記光路上に配置するように、前記第１の駆動手段及び前記第２の駆動手段を駆動制御し、かつ前記光学素子を移動させるように前記光学素子移動手段を駆動制御する制御部と、
を具備することを特徴とする光学顕微鏡。
【手続補正２】
【補正対象書類名】明細書
【補正対象項目名】００２６
【補正方法】変更
【補正の内容】
【００２６】
【課題を解決するための手段】本発明の請求項１に係る発明は、固定基板に回転可能に設けられ、少なくとも１つの光学素子が配置されたターレットと、ターレットに駆動力を与える駆動手段と、駆動手段が発生する駆動力を前記ターレットに伝達するための伝達手段と、ターレット上の光学素子を、光学系の光路上に位置決め保持する位置決め手段と、ターレット上で光学素子を移動可能に保持する案内手段と、固定基板上に設置され、光路上に停止した光学素子を案内手段の移動方向に沿って移動させる光学素子移動手段と、前記駆動手段及び前記光学素子移動手段のうち少なくとも一方の動作を制御する制御部と、を具備することを特徴とする光学素子切り換え装置である。光学素子駆動手段は、光学素子切り換え装置の固定部に設けられるとともに、前記ターレットが位置決め手段によって、所定位置に位置決めされている時に光路上に位置する光学素子を移動させる。
【手続補正３】
【補正対象書類名】明細書
【補正対象項目名】００２７
【補正方法】変更
【補正の内容】
【００２７】
また、本発明の請求項２に係る発明は、複数の対物レンズのうち少なくとも１つを選択的に光路に配置するための第１の切換え手段と、選択された対物レンズを位置決め保持する第１の位置決め手段と、第１の切換え手段を駆動する第１の駆動手段と、複数の光学素子のうち少なくとも１つを選択的に光路に配置するための第２の切換え手段と、選択された光学素子を位置決め保持する第２の位置決め手段と、第２の切換え手段を駆動する第２の駆動手段と、第２の切換え手段に設けられ、第２の切換え手段上で光学素子のそれぞれを移動可能に保持する案内手段と、光路に配置された前記光学素子を、案内手段の移動方向に移動させる光学素子移動手段と、を備えることを特徴とする光学素子切り換え装置である。
また、本発明の請求項３に係る発明は、光学素子切り換え装置は、さらに光学素子移動手段による光学素子の移動量を設定する入力部を具備し、この入力部への設定レベルに対応して、光学素子の移動量が可変することを特徴とする請求項１または２記載の光学素子切り換え装置である。
【手続補正４】
【補正対象書類名】明細書
【補正対象項目名】００２８
【補正方法】変更
【補正の内容】
【００２８】
また、本発明の請求項４に係る発明は、複数の検鏡法に対応する光学素子を切り換え可能に備える光学素子切り換え装置を搭載し、倍率の異なる複数の対物レンズを切り換え可能な顕微鏡において、少なくとも１つの対物レンズを装着可能な第１のターレットと、第１のターレットを回転させて、観察試料の光像が通過する光路上に対物レンズを選択的に配置する第１の駆動手段と、少なくとも１つの光学素子を装着可能で、光路に配置された対物レンズの光軸に直交する面内で回転可能に保持される第２のターレットと、第２のターレット上に設置され、光学素子を移動可能に保持する案内手段と、第２のターレットを回転して、光学素子または第２のターレットに設けられる空穴を光路上に選択的に配置する第２の駆動手段と、光路上に選択配置された光学素子を前記案内手段の移動方向に沿って移動させる光学素子移動手段と、光路上に配置される対物レンズ及び光学素子を選択指示するための操作部と、操作部によって選択指示された対物レンズ及び光学素子を、それぞれ光路上に配置するように、第１の駆動手段及び第２の駆動手段を駆動制御し、かつ光学素子を移動させるように光学素子移動手段を駆動制御する制御部と、を具備することを特徴とする光学顕微鏡である。
【手続補正５】
【補正対象書類名】明細書
【補正対象項目名】００２９
【補正方法】変更
【補正の内容】
【００２９】
以上のような構成の光学素子切り換え装置及び光学顕微鏡は、駆動手段がターレットを回転させて、対物レンズが配置される光路に対して、択一的に光学素子を配置し位置決めされる。さらに、その光学素子は、光学素子移動手段によってターレット上で所定の方向に移動され、併せて切り換え動作時にコントラスト等の調整や必要な補正が行われる。これにより、複数の検鏡法に対応した光学素子や対物レンズの切り換えならびに観察時の調整を自動化することが可能となる。